(57)【要約】  【課題】  物品を袋に収納する際に袋の開口部を容易に開口して、物品収納の労力を低減することができるようにした物品収納用袋を提供すること。  【解決手段】  単一のシート状部材を折り返して前面側部分（１２）及び背面側部分（１４）が構成され、背面側部分（１４）は前面側部分（１２）よりも延長され、前面側部分（１２）の端部は開口部（Ｅ）を構成する物品収納用袋において、前面側部分（１２）の端部には折り返し部分（１６）が形成され、該折り返し部分（１６）の側縁部は前面側部分及び背面側部分の側縁部（２０）と共に融着されている。【選択図】  図１
2007076748.tif 000002
【特許請求の範囲】
【請求項１】
単一のシート状部材を折り返して前面側部分及び背面側部分が構成され、背面側部分は前面側部分よりも延長され、前面側部分の端部は開口部を構成する物品収納用袋において、前面側部分の端部には折り返し部分が形成され、該折り返し部分の側縁部は前面側部分及び背面側部分の側縁部と共に融着されていることを特徴とする物品収納用袋。
【請求項２】
背面側部分の延長部分に固定用のピンが挿通される複数の開孔が形成されている請求項１の物品収納用袋。
【請求項３】
物品収納用袋を多数積み重ねた束を収納する袋状部材及び該袋状部材を載置固定する基台を有する物品収納用装置において、該袋状部材は、物品収納用袋の折り返し部分に対応する領域に物品収納用袋を取り出すための開口部が形成され、該袋状部材はそのピン挿通開口に基台のピンを挿通することにより基台上に着脱自在に取り付けられていることを特徴とする物品収納用装置。
【請求項４】
物品収納用袋を多数積み重ねた束を収納する袋状部材及び該袋状部材を載置固定する基台を有する物品収納用装置において、該袋状部材は、物品収納用袋の折り返し部分に対応する領域に物品収納用袋を取り出すための開口部が形成され、該袋状部材の延長部は基台にばね付勢して回転自在に設けられた略Ｕ字状の保持部材により押圧して基台上に着脱自在に取り付けられていることを特徴とする物品収納用装置。
【発明の詳細な説明】
【技術分野】
【０００１】
本発明は、パンのような食品や、その他の各種物品を包装するのに適した物品収納用袋の改良及び該物品収納用袋の束を収納してその取出しを容易にした物品収納用装置に関する。
【背景技術】
【０００２】
従来の物品の包装の代表例として、ビニール等の素材の袋に物品を収納するケースがある。
【０００３】
しかし、ビニール等の素材の袋は、袋を構成する素材同士が付着して、開口に非常に手間取ってしまうという問題を抱えている。
パンの大量販売店舗等の会計箇所（所謂「レジ」）で行われているように、会計の際に、客が選択した商品（パン）を袋に収納するという形態をとっている場合には、会計作業よりもパンを袋に収納する作業の方が時間を費やしてしまう。そして、パンを袋に収納するのに時間を費やしてしまう結果として、レジの順番待ちの客に対して不快感を与え、顧客離れ、売上高減少という事業継続上、非常に重大な問題を惹起してしまう可能性がある。
【０００４】
この様な問題に対処するべく、従来、パンなどの商品収納用の袋を予め開放した状態にして、レジ周りに配置することも行われている。
しかしながら、袋を予め開放した状態にしておく作業に多大な労力が必要となり、人件費の高騰等の問題を生じる。
また、袋を予め開放した状態でレジ周りに配置することは、客が購入したパンが接触した袋の内面側が外気に接触することとなり、パンが接触した面が汚れてしまい、或いは、異物が混入してしまう可能性が存在するという問題もある。
【０００５】
その他の従来技術として、傘を収納する袋を開口する技術が開示されている(特許文献１)。この技術は非常に有効なものであるが、傘のような細長い商品の収納を対象としているため、パンのその他の一般的な商品全般の収納には適用できない。
また、商品展示用袋に関し、特許文献２があるが、これは口縁部の折曲縁により商品の飛び出しを防止するようにした衣料製品等を入れるもので、パン等の収納には適用できない。
【０００６】
また、特許文献３に記載のものは、上部の材料をＮ状に折り上蓋を作り内容物を収納した後、該上蓋を閉じて上下共四角形状になるようにした袋であって、これもパン等の収納には適用できない。
また、特許文献４に記載のものは、折曲片を折り曲げて前面板の受け片に設けた挿入空隙に挿込み開口部を閉鎖するようにした袋であり、パン等の収納には適用できない。
【０００７】
また、特許文献５には、袋本体の後側シートの蓋を前側シートの上部前側へ開閉自在に連設した包装袋の口部において、袋本体の前側シートの上部に折込片を設けることが記載されているが、折込片の両側部は不明であり品物の出し入れを繰返すことにより、折込片が外に反転する恐れがある。
特許文献６には、覆瓦状に連接した袋を収納していて必要時に該袋を取り出すようにしたパッケージが記載されているが、該パッケージは箱の形態をしていてプラスチックシート製の袋の収納には適さず、また袋の取出口はパッケージの端部に形成されていて、折り返し部分を有するような袋の取出には適合しない。
【特許文献１】特許第２５６２８０６号公報
【特許文献２】実公昭５０−３６００５号公報
【特許文献３】実公昭４９−４４３３９号公報
【特許文献４】実願昭５４−９０８５２号のマイクロフィルム
【特許文献５】登録実用新案第３０５８０５０号公報
【特許文献６】特開昭６３−２２３７６号公報
【発明の開示】
【発明が解決しようとする課題】
【０００８】
本発明は、上述した従来技術の問題点に鑑みて提案されたものであり、物品を袋に収納する際における袋開口の手間を軽減し、以って、物品収納の労力を低減することが出来る物品収納用袋の提供を目的としている。
本発明のその他の目的は、係る物品収納用袋による収納をさらに効率的にすることが出来て、しかも、設置スペースが極めて小さい物品収納用装置の提供にある。
【課題を解決するための手段】
【０００９】
本発明の物品収納用袋は、単一のシート状部材を折り返して前面側部分１２及び背面側部分１４が構成され、背面側部分１４は前面側部分１２よりも延長され、前面側部分１２の端部は開口部Ｅを構成する物品収納用袋において、前面側部分１２の端部には折り返し部分１６が形成され、該折り返し部分１６の側縁部は前面側部分及び背面側部分の側縁部２０と共に融着されている。
【００１０】
また本発明の物品収納用袋は、背面側部分１４の延長部分に固定用のピンが挿通される複数の開孔２２が形成されていることが好ましい。
【００１１】
本発明の物品収納用装置は、物品収納用袋１０を多数積み重ねた束を収納する袋状部材４０及び該袋状部材４０を載置固定する基台４６を有する物品収納用装置３０において、該袋状部材４０は、物品収納用袋１０の折り返し部分１６に対応する領域に物品収納用袋１０を取り出すための開口部４２が形成され、該袋状部材４０はそのピン挿通開口５０に基台４６のピン４８を挿通することにより基台４６上に着脱自在に取り付けられている。
【００１２】
本発明の物品収納用装置は、物品収納用袋１０を多数積み重ねた束を収納する袋状部材４０及び該袋状部材４０を載置固定する基台４６を有する物品収納用装置３０において、該袋状部材４０は、物品収納用袋１０の折り返し部分１６に対応する領域に物品収納用袋１０を取り出すための開口部４２が形成され、該袋状部材４０の延長部は基台４６にばね付勢して回転自在に設けられた略Ｕ字状の保持部材Ｎにより押圧して基台４６上に着脱自在に取り付けられている。
【発明の効果】
【００１３】
本発明は次のような作用効果を有する。
（１）  本発明の物品収納用袋によれば、開口部を構成する前面側部分の端部に形成された折り返し部分が設けられて前面側部分と背面側部分とが付着することが防止され、背面側部分が前面側部分よりも長くなる様に構成されて背面側部分の長い部分を軽く抑えることができ、物品収納用袋の開口部は極めて容易に開口し物品を袋内に容易に収納することができる。
（２）  物品収納用袋を多数積み重ねた場合、収納用袋の折り返し部は折り返して２重になっている分だけ、その他の部分よりも厚さ寸法が大きく、折り返し部が上方に突出した状態となっているため、当該突出部分が摘み易くなり、収納用袋の開口部が開放し易くなる。
（３）  折り返し部分の側縁部は前面側部分及び背面側部分の側縁部に融着されていて、物品を取出ても折り返し部分が外側へ反転することなく、再度物品を容易に収納することが出来る。
（４）  背面側部分の延長部分に形成された複数の開孔に固定用のピンを挿通することにより、物品収納用袋を所定場所に簡単に固定して、物品収納用袋を容易に開口してそこから物品を袋内に入れることができる。
（５）  本発明の物品収納用装置は、その袋状部材に物品収納用袋の折り返し部分に対応する領域に物品収納用袋を取り出すための開口部が形成されていて、折り返し部分を摘まんで物品収納用袋を袋状部材から容易に取り出すことができる。
（６）  本発明の物品収納用装置によれば、物品収納用袋を包囲している袋状部材が基台上に取り付けられているため、基台は基台の重量により基台を載置した場所からずれることも無く、また物品収納用袋は基台に移動しないように固定されているので、収納用袋の背面側部分の長い部分を抑えるのと同等の効果が得られる。すなわち、収納用袋の背面側部分の長い部分を抑えなくても、収納用袋の開口部が容易に開放される。
（７）  物品収納用袋を包囲する袋状部材は、基台の複数のピンを袋状部材のピン挿通開口に挿通するか、基台のばね付勢された略Ｕ字状の保持部材により袋状部材の延長部を押圧することにより基台に容易に着脱し、物品収納用袋を能率的に使用することができる。
【発明を実施するための最良の形態】
【００１４】
以下、添付図面を参照して、本発明を実施するための最良の形態について説明する。
【００１５】
図１〜図４を参照して、マチが有る物品収納用袋に係る１実施形態について説明する。
【００１６】
図１及び図２は、本発明の１実施形態に係る物品収納用袋の、図面番号順に夫々外観図と、断面図を示している。
図１及び図２において、全体を符号１０で示す物品収納用袋（以降、物品収納用袋を単に袋と略記する）は、その開口部が矢印Ｅで示されている。
【００１７】
袋１０はポリエチレン製である。ポリエチレンであれば材料そのものの匂いがしないので、特にパンその他の食品の収納用袋として好適である。但し、袋10の材料としては、ポリエチレンのプラスチック製シート又はフィルムに限定されるものではない。例えば、機械部品のように、袋自体の臭いが問題にならない場合であれば、ビニール等で製造することも可能である。
【００１８】
袋１０は、単一のシート状材料（ポリエチレン）を２つ折り返した様な概略形状をしており、前面側部分１２と背面側部分１４とが「マチ」部１８により結合された構造を有している。
ここで、前面側部分１２の開口部Ｅ（前面側部分の端部）は、符号１６で示す様に折り返し部分を有している。
【００１９】
前面側部分１２と背面側部分１４の側縁部２０と折り返し部分１６の側縁部とは、熱融着されている。
【００２０】
前面側部分１２は背面側部分１４に対して、寸法δだけ短くなっている。即ち、背面側部分１４は前面側部分１２に対して、所定寸法δだけ長い延長部を有している。なお、該延長部の符号２２で示す箇所に、前面側部分１２及び背面側部分１４を貫通する開口（孔）を形成することも可能である。
【００２１】
上述した様に、前面側部分１２の開口部Ｅ（前面側部分の端部）には折り返し部分１６が形成されており、該折り返し部分１６が存在するため、開口部Ｅにおいて、（前面側部分１２の）折り返し部分１６は背面側部分１４に付着しない。
このことに加えて、背面側部分１４が前面側部分１２よりも寸法δだけ長い部分を軽く抑えることにより、物品収納用袋１０の開口部Ｅは、極めて容易に開口し、図示しない物品を袋１０内に収納する作業の労力が軽減する。
【００２２】
図１及び図２で示した物品収納用袋１０は、多数を重ねた場合に、さらに開口部Ｅを開口し易くなる。
【００２３】
図３及び図４は物品収納用袋１０を多数重ねた状態（符号「Ｍ１０」で示す）を側面から示したものである。図３及び図４から明らかな様に、袋１０を多数重ねた束Ｍ１０は、図３の符号Ａ、Ｄで示す部分が他の部分に比較して上方に盛り上がっている。
そして、図４と対比すれば明らかな様に、図３の符号Ａ部分は袋１０の開口部Ｅにおける折り返し部１６に対応しており、符号Ｄは袋１０底部の「マチ」部分１８に対応している。
【００２４】
折り返し部１６は、折り返して２重になっている分だけ、その他の部分（例えば、図３、図４で符号「Ｈ」で示す部分）よりも厚さ寸法が大きい。そのため、折り返し部１６が上方に突出した状態となっている。
折り返し部１６が上方に突出した結果、当該突出部分Ａが摘み易くなり、袋１０の開口部Ｅが開放し易くなる（図４では、開口部Ｅの開放が矢印Ｏで示されている）。
【００２５】
次に、上述した物品収納用袋を用いた物品収納用装置の実施形態について説明する。斯かる物品収納用装置については、図５〜図１０で示されている。
【００２６】
図５、図６で示す様に、全体を符号３０で示す物品収納用装置の１実施形態は外袋４０、基台４６を有し、図１〜図４で説明した物品収納用袋１０の束（例えば１００枚の束）Ｍ１が、外袋４０に収納された状態で、基台４６に載置された構成となっている。
【００２７】
外袋４０には、物品収納用袋１０を取り出すための開口４２が形成されており、該開口４２は物品収納用袋１０の折り返し部分１６に対応する部分に形成されていて、折り返し部分１６を摘まんで取出が容易に行えるようにしている。
また背面側部分１４に（図示の例では２ヶ所に）開口５０が形成されている。そして、この開口５０には、基台４６に立設された２本のピン４８が貫通しており、以って、外袋４０が基台４６から外れない様になっている。
【００２８】
収納用袋１０を包囲している外袋４０が基台４６上に取り付けられているため、基台４６は基台の重量により基台を載置した場所からずれることも無く、また収納用袋１０は基台４６に移動しないように例えば基台に立設したピンなどにより止められているので、収納用袋１０の背面側部分１４の長い部分を抑えるのと同等の効果が得られる。
換言すれば、収納用袋１０の背面側部分１４の長い部分即ち延長部を抑えなくても、収納用袋１０の開口部Ｅが容易に開放される。
【００２９】
図７で示す物品収納用装置の他の実施例（装置全体を符号３５で表す）は、図5及び図6で示した実施例（符号３０）に対して、外袋および／又は物品収納用袋の束Ｍ１をずれないように基台に圧着させる上方に向けて末広がりの略Ｕ字状の保持部材Ｎを追加した実施例である。
【００３０】
その保持部材Ｎは図示において略Ｕ字状で左右対称であり、軸部である両端部Ｎｃを支持金具Ｋによって基台４６に回動可能に取り付けられている。保持部材Ｎの軸部Ｎｃと支持金具Ｋの間には図示では明確に示していないが、保持部材Ｎの中央部Ｎａが基台４６側に付勢するように、例えばつるまきばねが介装されている。
【００３１】
なお、保持部材Ｎの中央部Ｎａと両端部Ｎｃの間の腕部Ｎｂは基台から離れるように浮き上がって構成されており、中央部Ｎａにより外袋４０の長い部分即ち延長部を基台に押圧する。
図示の例では、指示金具Ｋの位置からピン４８が立設しているが、このピンは保持部材Ｎを設けたことにより廃止することも可能である。
【００３２】
次に、図８〜図１０を参照して、物品収納用装置３０による物品収納の態様について説明する。
【００３３】
図８において、外袋４０の開口４２で、折り返し部１６をつまみ、開口部Ｅを開放する。上述した通り、袋１０が束Ｍ１となった状態では、折り返し部１６は上方に突出Ａするので、非常に摘み易い。
【００３４】
図９では折り返し部１６をつまみ、開口部Ｅを大きく開口した状態で、収納したい対象物（例えばパン）Ｓを袋１０内に挿入（符号ＳＥ）する。
或いは、折り返し部１６をつまんだ状態で袋１０を外袋４０から引き出し、図１０で示す様に、パンＳを袋１０内に挿入する。
【００３５】
ここで、図示では、説明のために基台４６を水平に配置した状態となっているが、基台４６を垂直方向に配置すれば、設置スペースをさらに省略することが出来る。
【００３６】
次に、図１１〜図２０を参照して、上述した物品収納用袋１０を製造方法及び装置の参考例について説明する。
【００３７】
物品収納用袋１０は、図１１の符号イ、図１２で示す様に、ロール状に巻き取られた長尺の袋状部材（図示の実施形態では、素材はポリエチレン）を加工することにより製造される。そして、係る「ロール状に巻き取られた長尺の袋状部材」は、原材料加工業者により販売されている市販品である。
【００３８】
図１１を参照して物品収納用袋製造装置の全体構成を説明する。
【００３９】
図１１の符号イの箇所には、リール２にロール状に巻き取られた長尺のポリエチレン製の袋状部材（図１２を参照）１００が配置してある。
係る長尺の袋状部材（以下、「長尺材料」と表記）１００が、引き出しローラ６０，６０により引き出される。
引き出された長尺材料１００は、図１１の符号ロ及び図１３で示す様に、１ヶ所がカッタ６４により切り裂かれ、切れ目６２が形成されて、その切れ目６２は、袋１０の開口部Ｅを形成する。
【００４０】
図１３で説明した工程をより詳細に説明したのが図１４である。
ここで、図１３、図１４において、カッタ６４で切り裂かれた切れ目６２の位置は、長尺部材１００の縁部Lから、δ／２の距離である。ここで、寸法「δ」は、図１及び図２で示されているように、出来上がった物品収納用袋の前面部１２が背面部１４よりも短い寸法である。なお、図１４において矢印Ｘは長尺部材１００が引っ張られて移動する方向を表している。
【００４１】
図１４のＹ矢視図である図１５において、長尺部材１００の上方のシート１００Ｕ（袋に製造された場合の前面側部分１２に相当）と、下方のシート１００Ｌ（袋に製造された場合の背面側部分１４に相当）の間にはカッタ受け部材Ｃが挿入されている。即ち、このカッタ受け部材Ｃは、カッタ６４が長尺部材１００を上下２枚とも切ってしまわない様に、２枚のポリエチレンシート間（１００Ｕと１００Ｌの間）に挿入されている。
【００４２】
一方、カッタ６４の切っ先６４ａは第１の支持部材Ｂ１および第２の支持部材Ｂ２を介して、間接的に前記カッタ受け部材Ｃに接続され、そのカッタ受け部材Ｃの特定の位置Ｐに接するように配置される。
【００４３】
カッタ６４には取付用孔６４ｂが設けられ、該取付用孔６４ｂと第１の支持部材側の長手方向に長径が配置された長孔Ｂ１ｂとを挿通するように図示しない１本のボルトでカッタ６４が第１の支持部材Ｂ１に取り付けられる。したがって、カッタ６４はＧ矢印方向に回転することで切っ先の角度が調節出来、またＦ（図示の左右）方向にスライドも出来るので、カッタ受け部材Ｃに傷等が出来た場合は前記特定の位置Ｐを移すことも出来る。
【００４４】
また、前記第１の支持部材Ｂ１の他端には取付孔Ｂ１ａが、第２の支持部材Ｂ２の一端には取付け孔Ｂ２ａが設けてあり、その２つの取付孔Ｂ１ａ、Ｂ２ａに１本のボルトを挿通するように連結しているので、第１の支持部材Ｂ１は取付け孔Ｂ２ａの周りにＪ矢印方向に回動可能となっている。そのため、前記カッタ６４の切っ先６４ａは上下方向にも調整が可能である。
【００４５】
また、例えば第１の指示部材Ｂ１と第２の支持部材Ｂ２の間に例えばアタッチメントを加えることにより、カッタ６４の幅方向の位置、すなわち袋の素材である長尺の袋状部材における幅方向の位置（δ／２）を変更することも可能である。
【００４６】
図１１の符号ハで示す箇所では、図１６で示す様に、切れ目６２で分離した部分６６を矢印Ｔ方向に開く工程が行われる。
換言すれば、図１６で示す工程では、部分６６を、長尺部材１００の、物品収納用袋１０の背面部１４側に相当する領域１４Ｓ側に展開する操作が行われる。
なお、上述した通り、折曲がった片方の部分６６の長さはδ／２であるので、その部分６６を背面部１４相当領域１４Ｓ側へ展開することにより、背面部１４は前面部１２よりも寸法δだけ長くなるのである。
【００４７】
図１６で説明した工程をより詳細に説明したのが図１７（１７−ａ、１７−ｂ、１７−ｃ）である。
ここで、図１７の１７−ａにおいて、先端がＬ字状に曲げられた展開用治具７０を長尺部材１００の符号６６で示す部分へ押し当てる。
展開用治具７０は例えば図示の左方に移動する力を付勢されており、１７−ｂ、１７−ｃの順に当該部分６６を背面部１４に相当する領域１４Ｓ側へ展開していく。
【００４８】
図１１の符号ニで示す箇所では、図１８で示す様に、長尺部材１００の、物品収納用袋１０の前面部１２側に相当する領域１２Ｓにおいて、当該（前面部１２に相当する）領域１２Ｓの端部１２Ｓ−Ｅが折り曲げられて、折り返し部１６を形成する。
【００４９】
図１８で説明した工程をより詳細に説明したのが図１９である。
図１９において、長尺部材１００における前面部相当領域１２Ｓの端部１２Ｓ−Ｅが、折り曲げ用治具７４により折り曲げ或いは折り返されて、折り返し部１６を形成する。
【００５０】
図１１の符号ホで示す箇所では、袋１０の「マチ」部分１８を構成する。
図２０において、長尺部材１００の「マチ」部分１８に対応する領域S１８が、適当な間隔δ２を隔てた２枚の板状部材７８、７８と、円盤状部材８０との間のマチ形成空間に導入されて、マチ部分１８を構成する。詳細には、円盤状部材８０の動作は、図２１に示すように、Ｒ方向に回転しつつＶ方向に進み素材を袋の内部方向に押し込んで「マチ」部分１８を成形する。
図２０、図２１では明確に示されていないが、２枚の板状部材７８、７８と、円盤状部材８０との間のマチ形成空間に導入された領域S１８は、折り重ねられるので、円盤状部材８０が当該マチ形成空間を通過した後に、素材（ポリエチレン）自体の弾性により、元の形状に復元してしまうことはない。
【００５１】
図１１の符号ヘの箇所では、図１で述べた開口２２を穿孔する。図５〜図７で説明した物品収納用装置３０、３５では、外袋４０の開口５０に基台４６のピン４８を貫通させていたが、図１１の符号ヘの箇所で開口２２（図１）を穿孔し、ピン４８を開口２２に貫通させることも出来る。
【００５２】
図１１の符号ヘの箇所を通過した段階で、長尺部材１００は、図１の物品収納用袋１０が側縁部２０で区切られておらず、そのまま連続した状態で、図１の左右方向に連続した状態に加工されている。
そして、図１１中、符号８２で示す領域で、図１で示すような１枚ずつの物品収納袋１０に分離される。
【００５３】
図１１の符号８２で示す領域は、送りローラ８４、８４と、溶断用カッタ８８及びその受け部材９０と、送り用の上下のコンベア機構９２，９４で構成されている。
【００５４】
送り用ローラ８４、８４は、連続した状態の長尺部材１００を、物品収納用袋１０の幅W（図１参照）だけ、正確に送る。この送り用ロール８４、８４で寸法W分だけ正確に長尺部材１００を送ることにより、次の溶断用カッタ８８及びその受け部材９０は、物品収納用袋１０を、正確に幅Wずつ切断することが出来る。
【００５５】
溶断用カッタ８８及びその受け部材９０において、溶断用カッタ８８は、その表面がポリエチレンが溶融する温度以上となる様に加熱されている。加熱の手法は、公知の一般的な手法（例えば、電気的な加熱）でよい。
カッタ８８は、その受け部材９０と協働する事により、比較的薄い長尺部材１００が、確実に切断されるように構成されている。そして、長尺部材１００が袋１０の幅W（図１参照）だけ切断された際に、カッタ８８の高温により、ポリエチレン製の長尺部材１００が溶融して、物品収納用袋１０の側縁部２０が確実に接着する。同時に物品収納用袋１０の側縁部２０即ち前面側部分及び背面側部分の側縁部２０と、折り返し部分１６の側縁部が熱融着される。
【００５６】
溶断用カッタ８８及びその受け部材９０により長尺部材１００を切断した段階で、図１で示すような物品収納用袋１０が完成する。そこで、送り用のコンベア機構９２，９４により、完成した物品収容用袋１０を１枚ずつ、図１１において左方に存在する集荷のための設備（図示は省略）へ送り出す。
【００５７】
ここで、図示しない集荷のための設備とは、例えば袋１０を集積し、所定枚数（例えば１００枚）ずつ積み重ねた（束ねた）後、外袋４０に収納する等の作業が行われる。
【００５８】
なお上記図１〜図２１に示す実施形態ではマチ部分１８が有る袋について説明したが、斯かるマチ部分１８は省略することが可能である。
【００５９】
図示の実施形態はあくまでも例示であり、本発明の技術範囲を限定する趣旨の記述ではないことを付言する。
例えば、マチ部分がない袋を形成するに際して、例えば図１１の製造ラインから、符号ハで示す展開する操作及び符号ホで示すマチ製造操作を省略して、製造することも可能である。
【図面の簡単な説明】
【００６０】
【図１】本発明の１実施形態でマチを有する物品収納用袋の外観図。
【図２】図１に対応する側断面図。
【図３】本発明の１実施形態でマチを有する物品収納用袋を多数束に積み上げた側面図。
【図４】図３の状態において最上段の袋の開口部を開口させる状態を示した図。
【図５】本発明の物品収納用装置の１実施形態を示し、基台上の外袋内に物品収納用袋の束を載置した状態を示す図。
【図６】図５に対応する側断面図。
【図７】図５の基台にずれ防止の金具を追加した実施形態の外観図。
【図８】図３の状態で、最上段の袋に商品を挿入する初期過程で開口部の折返し部を摘んで開口している様を示す図。
【図９】図３に対応する状態で、最上段の袋の開口部から商品を挿入する態様を示した図。
【図１０】図３に対応する状態から当該の物品収納用袋に商品を完全に挿入し終わった様を示した図。
【図１１】上記物品収納用袋の製造装置の参考例を示す図。
【図１２】袋を製造するためのロール上に巻き取られた素材を示した立体図。
【図１３】図１１の参考例で素材に切れ目を入れる初期工程を示した図。
【図１４】図１３を更に詳しく説明するための図。
【図１５】図１４のＹ矢視図。
【図１６】切れ目で分離した部分を開いた状態を示した図。
【図１７】切れ目で分離した部分を開く過程を３駒の図によって詳細に示した図。
【図１８】折返し部を形成する工程を示した図。
【図１９】折返し部を形成する工程でガイドを使用している様を示した図。
【図２０】マチを形成する工程を示した断面図。
【図２１】図２０に対応する平面図。
【符号の説明】
【００６１】
１・・・物品収納用袋
２・・・リール
１０・・・物品収納用袋
１２・・・前面側部分
１４・・・背面側部分
１６・・・折返し部分
１８・・・マチ部分
２０・・・側縁部
３０・・・物品収納用装置
４０・・・外袋
４２・・・開口部
４６・・・基台
６４・・・カッタ
７４・・・折り曲げ用治具
７８・・・板状部材
８０・・・円盤状部材
８４・・・送りローラ
８８・・・溶断用カッタ
１００・・・長尺部材
【図１】
2007076748.tif 000003
【図２】
2007076748.tif 000004
【図３】
2007076748.tif 000005
【図４】
2007076748.tif 000006
【図５】
2007076748.tif 000007
【図６】
2007076748.tif 000008
【図７】
2007076748.tif 000009
【図８】
2007076748.tif 000010
【図９】
2007076748.tif 000011
【図１０】
2007076748.tif 000012
【図１１】
2007076748.tif 000013
【図１２】
2007076748.tif 000014
【図１３】
2007076748.tif 000015
【図１４】
2007076748.tif 000016
【図１５】
2007076748.tif 000017
【図１６】
2007076748.tif 000018
【図１７】
2007076748.tif 000019
【図１８】
2007076748.tif 000020
【図１９】
2007076748.tif 000021
【図２０】
2007076748.tif 000022
【図２１】
2007076748.tif 000023